【手続補正書】
【提出日】平成29年1月13日(2017.1.13)
【手続補正１】
【補正対象書類名】特許請求の範囲
【補正対象項目名】全文
【補正方法】変更
【補正の内容】
【特許請求の範囲】
【請求項１】
ペイロードに格納される送信データの符号化と変調を行うペイロード処理部と、
ヘッダに格納される格納情報に対する符号化と変調のうちの少なくともいずれかの方式と、前記送信データに対する符号化と変調のうちの少なくともいずれかの方式とを表す変調符号化情報の符号化と変調を既定の方式で行い、前記格納情報の符号化と変調を、前記変調符号化情報により表される方式で行うヘッダ処理部と、
前記変調符号化情報を格納する第１の領域と前記格納情報を格納する第２の領域とからなる前記ヘッダを前記ペイロードに付加して構成されるフレームを送信する送信部と
を備える符号化装置。
【請求項２】
前記変調符号化情報と前記格納情報の誤り検出に用いられ、前記第２の領域に格納されるパリティを生成する生成部をさらに備え、
前記ヘッダ処理部は、前記パリティの符号化と変調を、前記変調符号化情報により表される方式で行う
請求項１に記載の符号化装置。
【請求項３】
前記第１の領域は、前記ヘッダの先頭に配置される
請求項１または２に記載の符号化装置。
【請求項４】
前記ヘッダ処理部は、前記変調符号化情報の符号化を、前記格納情報の符号化に用いられる複数の方式のうちの復号性能が最も高い方式で行い、符号化した前記変調符号化情報の変調を、前記格納情報の変調に用いられる複数の方式のうちの復調性能が最も高い方式で行う
請求項１乃至３のいずれかに記載の符号化装置。
【請求項５】
前記ヘッダ処理部は、前記格納情報の符号化を、前記送信データの符号化に用いられる方式と同等以上の復号性能を有する方式で行い、符号化した前記格納情報の変調を、前記送信データの変調に用いられる方式と同等以上の復調性能を有する方式で行う
請求項１乃至４のいずれかに記載の符号化装置。
【請求項６】
ペイロードに格納される送信データの符号化と変調を行い、
ヘッダに格納される格納情報に対する符号化と変調のうちの少なくともいずれかの方式と、前記送信データに対する符号化と変調のうちの少なくともいずれかの方式とを表す変調符号化情報の符号化と変調を既定の方式で行い、
前記格納情報の符号化と変調を、前記変調符号化情報により表される方式で行い、
前記変調符号化情報を格納する第１の領域と前記格納情報を格納する第２の領域とからなる前記ヘッダを前記ペイロードに付加して構成されるフレームを送信する
ステップを含む符号化方法。
【請求項７】
ペイロードに格納される送信データの符号化と変調を行い、
ヘッダに格納される格納情報に対する符号化と変調のうちの少なくともいずれかの方式と、前記送信データに対する符号化と変調のうちの少なくともいずれかの方式とを表す変調符号化情報の符号化と変調を既定の方式で行い、
前記格納情報の符号化と変調を、前記変調符号化情報により表される方式で行い、
前記変調符号化情報を格納する第１の領域と前記格納情報を格納する第２の領域とからなる前記ヘッダを前記ペイロードに付加して構成されるフレームを送信する
ステップを含む処理をコンピュータに実行させるプログラム。
【請求項８】
ヘッダに格納される格納情報に対する符号化と変調のうちの少なくともいずれかの方式と、送信データに対する符号化と変調のうちの少なくともいずれかの方式とを表す変調符号化情報を格納する第１の領域と前記格納情報を格納する第２の領域とからなる前記ヘッダを、前記送信データを格納するペイロードに付加して構成されるフレームを受信する受信部と、
前記変調符号化情報の復調と、復調後の前記変調符号化情報の復号とを既定の方式で行い、前記格納情報の復調と、復調後の前記格納情報の復号とを、復号して取得された前記変調符号化情報により表される方式で行うヘッダ処理部と、
前記送信データの復調と復号を、復号して取得された前記変調符号化情報、または前記変調符号化情報および前記格納情報により表される方式で行うペイロード処理部と
を備える復号装置。
【請求項９】
復号して取得された前記変調符号化情報に基づいて、前記格納情報の復調と復号の方式を決定する決定部をさらに備える
請求項８に記載の復号装置。
【請求項１０】
前記第２の領域には、前記変調符号化情報と前記格納情報の誤り検出に用いられるパリティがさらに格納され、
前記ヘッダ処理部は、前記パリティの復調と復号を、復号して取得された前記変調符号化情報により表される方式で行う
請求項８または９に記載の復号装置。
【請求項１１】
復号して取得された前記パリティに基づいて、前記変調符号化情報と前記格納情報の誤り検出を行う誤り検出部をさらに備える
請求項１０に記載の復号装置。
【請求項１２】
ヘッダに格納される格納情報に対する符号化と変調のうちの少なくともいずれかの方式と、送信データに対する符号化と変調のうちの少なくともいずれかの方式とを表す変調符号化情報を格納する第１の領域と前記格納情報を格納する第２の領域とからなる前記ヘッダを、前記送信データを格納するペイロードに付加して構成されるフレームを受信し、
前記変調符号化情報の復調と、復調後の前記変調符号化情報の復号とを既定の方式で行い、
前記格納情報の復調と、復調後の前記格納情報の復号とを、復号して取得された前記変調符号化情報により表される方式で行い、
前記送信データの復調と復号を、復号して取得された前記変調符号化情報、または前記変調符号化情報および前記格納情報により表される方式で行う
ステップを含む復号方法。
【請求項１３】
ヘッダに格納される格納情報に対する符号化と変調のうちの少なくともいずれかの方式と、送信データに対する符号化と変調のうちの少なくともいずれかの方式とを表す変調符号化情報を格納する第１の領域と前記格納情報を格納する第２の領域とからなる前記ヘッダを、前記送信データを格納するペイロードに付加して構成されるフレームを受信し、
前記変調符号化情報の復調と、復調後の前記変調符号化情報の復号とを既定の方式で行い、
前記格納情報の復調と、復調後の前記格納情報の復号とを、復号して取得された前記変調符号化情報により表される方式で行い、
前記送信データの復調と復号を、復号して取得された前記変調符号化情報、または前記変調符号化情報および前記格納情報により表される方式で行う
ステップを含む処理をコンピュータに実行させるプログラム。
【請求項１４】
ペイロードに格納される送信データの符号化と変調を行うペイロード処理部と、
ヘッダに格納される格納情報に対する符号化と変調のうちの少なくともいずれかの方式と、前記送信データに対する符号化と変調のうちの少なくともいずれかの方式とを表す変調符号化情報の符号化と変調を既定の方式で行い、前記格納情報の符号化と変調を、前記変調符号化情報により表される方式で行うヘッダ処理部と、
前記変調符号化情報を格納する第１の領域と前記格納情報を格納する第２の領域とからなる前記ヘッダを前記ペイロードに付加して構成されるフレームを送信する送信部と
を備える符号化装置と、
前記フレームを受信する受信部と、
前記変調符号化情報の復調と、復調後の前記変調符号化情報の復号とを既定の方式で行い、前記格納情報の復調と、復調後の前記格納情報の復号とを、復号して取得された前記変調符号化情報により表される方式で行うヘッダ処理部と、
前記送信データの復調と復号を、復号して取得された前記変調符号化情報、または前記変調符号化情報および前記格納情報により表される方式で行うペイロード処理部と
を備える復号装置と
を有する無線通信システム。
【手続補正２】
【補正対象書類名】明細書
【補正対象項目名】００１１
【補正方法】変更
【補正の内容】
【００１１】
本技術の一側面の符号化装置は、ペイロードに格納される送信データの符号化と変調を行うペイロード処理部と、ヘッダに格納される格納情報に対する符号化と変調のうちの少なくともいずれかの方式と、前記送信データに対する符号化と変調のうちの少なくともいずれかの方式とを表す変調符号化情報の符号化と変調を既定の方式で行い、前記格納情報の符号化と変調を、前記変調符号化情報により表される方式で行うヘッダ処理部と、前記変調符号化情報を格納する第１の領域と前記格納情報を格納する第２の領域とからなる前記ヘッダを前記ペイロードに付加して構成されるフレームを送信する送信部とを備える。
【手続補正３】
【補正対象書類名】明細書
【補正対象項目名】００１３
【補正方法】変更
【補正の内容】
【００１３】
本技術の一側面においては、ペイロードに格納される送信データの符号化と変調が行われ、ヘッダに格納される格納情報に対する符号化と変調のうちの少なくともいずれかの方式と、前記送信データに対する符号化と変調のうちの少なくともいずれかの方式とを表す変調符号化情報の符号化と変調を既定の方式で行われる。また、前記格納情報の符号化と変調が、前記変調符号化情報により表される方式で行われ、前記変調符号化情報を格納する第１の領域と前記格納情報を格納する第２の領域とからなる前記ヘッダを前記ペイロードに付加して構成されるフレームが送信される。
【手続補正４】
【補正対象書類名】明細書
【補正対象項目名】０１７１
【補正方法】変更
【補正の内容】
【０１７１】
（１）
ペイロードに格納される送信データの符号化と変調を行うペイロード処理部と、
ヘッダに格納される格納情報に対する符号化と変調のうちの少なくともいずれかの方式と、前記送信データに対する符号化と変調のうちの少なくともいずれかの方式とを表す変調符号化情報の符号化と変調を既定の方式で行い、前記格納情報の符号化と変調を、前記変調符号化情報により表される方式で行うヘッダ処理部と、
前記変調符号化情報を格納する第１の領域と前記格納情報を格納する第２の領域とからなる前記ヘッダを前記ペイロードに付加して構成されるフレームを送信する送信部と
を備える符号化装置。
【手続補正５】
【補正対象書類名】明細書
【補正対象項目名】０１７６
【補正方法】変更
【補正の内容】
【０１７６】
（６）
ペイロードに格納される送信データの符号化と変調を行い、
ヘッダに格納される格納情報に対する符号化と変調のうちの少なくともいずれかの方式と、前記送信データに対する符号化と変調のうちの少なくともいずれかの方式とを表す変調符号化情報の符号化と変調を既定の方式で行い、
前記格納情報の符号化と変調を、前記変調符号化情報により表される方式で行い、
前記変調符号化情報を格納する第１の領域と前記格納情報を格納する第２の領域とからなる前記ヘッダを前記ペイロードに付加して構成されるフレームを送信する
ステップを含む符号化方法。
【手続補正６】
【補正対象書類名】明細書
【補正対象項目名】０１７７
【補正方法】変更
【補正の内容】
【０１７７】
（７）
ペイロードに格納される送信データの符号化と変調を行い、
ヘッダに格納される格納情報に対する符号化と変調のうちの少なくともいずれかの方式と、前記送信データに対する符号化と変調のうちの少なくともいずれかの方式とを表す変調符号化情報の符号化と変調を既定の方式で行い、
前記格納情報の符号化と変調を、前記変調符号化情報により表される方式で行い、
前記変調符号化情報を格納する第１の領域と前記格納情報を格納する第２の領域とからなる前記ヘッダを前記ペイロードに付加して構成されるフレームを送信する
ステップを含む処理をコンピュータに実行させるプログラム。
【手続補正７】
【補正対象書類名】明細書
【補正対象項目名】０１８４
【補正方法】変更
【補正の内容】
【０１８４】
（１４）
ペイロードに格納される送信データの符号化と変調を行うペイロード処理部と、
ヘッダに格納される格納情報に対する符号化と変調のうちの少なくともいずれかの方式と、前記送信データに対する符号化と変調のうちの少なくともいずれかの方式とを表す変調符号化情報の符号化と変調を既定の方式で行い、前記格納情報の符号化と変調を、前記変調符号化情報により表される方式で行うヘッダ処理部と、
前記変調符号化情報を格納する第１の領域と前記格納情報を格納する第２の領域とからなる前記ヘッダを前記ペイロードに付加して構成されるフレームを送信する送信部と
を備える符号化装置と、
前記フレームを受信する受信部と、
前記変調符号化情報の復調と、復調後の前記変調符号化情報の復号とを既定の方式で行い、前記格納情報の復調と、復調後の前記格納情報の復号とを、復号して取得された前記変調符号化情報により表される方式で行うヘッダ処理部と、
前記送信データの復調と復号を、復号して取得された前記変調符号化情報、または前記変調符号化情報および前記格納情報により表される方式で行うペイロード処理部と
を備える復号装置と
を有する無線通信システム。